(57)【要約】【課題】  光学感応及びトラックボール両用のマウス入力装置の提供。【解決手段】  マウス本体にトラックボールモジュール、カーソル光学感応モジュール、及び自動切り換え感応装置が設けられ、マウス本体の下方が任意の界面に接触する時、自動切り換え感応装置が自動感応し並びにカーソル光学感応モジュールの操作使用に切り換え、またマウス本体が空中にある時は、自動切り換え感応装置が自動感応し並びにトラックボールモジュールの操作使用に切り換える。則ち、本考案は平面上及び空中使用が行なえ、操作制御の実用性が高められる。このほか、平面上或いは空中のいずれで使用されても、マウス本体の造形は人体手部が握持しやすい形状に設計されているため、人体工学の要求に符合する。【選択図】        図２
0003110429.tif 000002
【実用新案登録請求の範囲】
【請求項１】
マウス本体、トラックボールモジュール、カーソル光学感応モジュール、及び自動切り換え感応装置を具えた光学感応及びトラックボール両用のマウス入力装置であり、
該マウス本体は上部と下部を具え、
該トラックボールモジュールはマウス本体の上部に組付けられ、
該カーソル光学感応モジュールはマウス本体の下部に組付けられ、
該自動切り換え感応装置はマウス本体の内部に組付けられ、
該マウス本体下部が任意の界面に接触する時、自動切り換え感応装置は自動感応し並びにカーソル光学感応モジュールの操作使用に切り換え、またマウス本体の下部が空中にある時、自動切り換え感応装置は自動感応し並びにトラックボールモジュールの操作使用に切り換えることを特徴とする、光学感応及びトラックボール両用のマウス入力装置。
【請求項２】
請求項１記載の光学感応及びトラックボール両用のマウス入力装置において、自動切り換え感応装置が発光ダイオードとホトトランジスタを具えたことを特徴とする、光学感応及びトラックボール両用のマウス入力装置。
【考案の詳細な説明】
【技術分野】
【０００１】
本考案は一種の光学感応及びトラックボール両用のマウス入力装置に係り、特に、コンピュータ装置に適用され、且つ平面上及び空中のいずれでも使用できる光学感応及びトラックボール両用のマウス入力装置に関する。
【背景技術】
【０００２】
コンピュータの普及、ネットワークの流行により、各メーカーはマウスの用途及び操作性能に対して不断に増加と改良を行ない、使用者に良好な操作性能を提供している。しかし周知のマウスは設計上、卓上型或いは空中型使用のいずれかの単一形態とされ、使用者にとっては兼用できない欠点があった。
【０００３】
伝統的なマウス構造は単一の操作方式しか有さず、平面上に置いて使用するのでなければ空中で使用されて手指でカーソルを操作する。しかし、使用者は異なるアプリケーションソフトにより、文書制作、工程処理時には平面上での快速な操作性を追求し、ネットワークでブラウジングする時は、人体工学に符合し随意に手中で操作できる快適性を追求する。一般に平面用マウスは快速な操作性を有するが、その欠点は使用時間が長くなると身体上の痛みを形成しやすいことで、空中使用のマウスは良好な握持方式を有するが操作性は劣る。ゆえに今日の伝統的なマウスは操作上の実用性が理想的ではない。
【考案の開示】
【考案が解決しようとする課題】
【０００４】
本考案の主要な目的は、一種の光学感応及びトラックボール両用のマウス入力装置を提供することにあり、それは、平面上での使用と空中使用のいずれもが可能で、これにより高い操作性と実用性を有するマウス入力装置であるものとする。
【課題を解決するための手段】
【０００５】
請求項１の考案は、マウス本体、トラックボールモジュール、カーソル光学感応モジュール、及び自動切り換え感応装置を具えた光学感応及びトラックボール両用のマウス入力装置であり、
該マウス本体は上部と下部を具え、
該トラックボールモジュールはマウス本体の上部に組付けられ、
該カーソル光学感応モジュールはマウス本体の下部に組付けられ、
該自動切り換え感応装置はマウス本体の内部に組付けられ、
該マウス本体下部が任意の界面に接触する時、自動切り換え感応装置は自動感応し並びにカーソル光学感応モジュールの操作使用に切り換え、またマウス本体の下部が空中にある時、自動切り換え感応装置は自動感応し並びにトラックボールモジュールの操作使用に切り換えることを特徴とする、光学感応及びトラックボール両用のマウス入力装置としている。
請求項２の考案は、請求項１記載の光学感応及びトラックボール両用のマウス入力装置において、自動切り換え感応装置が発光ダイオードとホトトランジスタを具えたことを特徴とする、光学感応及びトラックボール両用のマウス入力装置としている。
【考案の効果】
【０００６】
本考案は自動切り換え感応装置の自動感応により、マウス本体がどの界面（例えば卓上面）に置かれても、カーソル光学感応モジュールの操作使用が行なえ、またマウス本体が空中にある時、トラックボールモジュールの操作使用が行なえる。則ち本考案は平面上でも空中でも使用でき、これにより操作上の実用性が高められている。このほか、平面上で使用されても空中で使用されても、マウス本体の造形は人体手部が握持しやすい形状とされ、これにより人体工学の要求に符合する。
【０００７】
上述の自動切り換え感応装置は発光ダイオード、及びホトトランジスタを具え、該マウス本体の下部と任意の界面が接触する時、発光ダイオードの発射する光が界面に反射され、且つホトトランジスタが発光ダイオードの反射した光を受信し、自動切り換え感応装置がカーソル光学感応モジュールの操作使用に切り換える。またマウス本体の下部が空中にある時は、発光ダイオードの発射する光は反射されないため、ホトトランジスタが発光ダイオードの光を受信できず、自動切り換え感応装置がトラックボールモジュールの操作使用に切り換える。
【考案を実施するための最良の形態】
【０００８】
本考案の光学感応及びトラックボール両用のマウス入力装置はマウス本体、トラックボールモジュール、カーソル光学感応モジュール、及び自動切り換え感応装置を具えている。そのうち、マウス本体は上部と下部を具え、トラックボールモジュールはマウス本体の上部に組付けられ、カーソル光学感応モジュールはマウス本体の下部に組付けられ、自動切り換え感応装置はマウス本体の内部に組付けられている。
【０００９】
該マウス本体下部が任意の界面に接触する時、自動切り換え感応装置は自動感応し並びにカーソル光学感応モジュールの操作使用に切り換える。またマウス本体の下部が空中にある時、自動切り換え感応装置は自動感応し並びにトラックボールモジュールの操作使用に切り換える。
【実施例１】
【００１０】
図１は本考案の実施例の立体図、及び図２はその別角度からの立体図である。本考案の光学感応及びトラックボール両用のマウス入力装置は、マウス本体１、トラックボールモジュール２、カーソル光学感応モジュール３、及び自動切り換え感応装置４を具えている。そのうち、マウス本体１は上部１１と下部１２を具え、且つ下部１２に四つの接触点１２１が設置されている。
【００１１】
このほか、トラックボールモジュール２が上述のマウス本体１の上部１１に組付けられ、カーソル光学感応モジュール３はマウス本体１の下部１２に組付けられ、自動切り換え感応装置４はマウス本体１の内部に組付けられている。前述の自動切り換え感応装置４は発光ダイオード４１、及びホトトランジスタ４２を具え、且つ発光ダイオード４１の発射した光がホトトランジスタ４２により受信される。
【００１２】
図２から図４を参照されたい。図３は本考案が卓上で使用される使用状態表示図、図４は図３の断面図である。マウス本体１が界面５、本実施例では卓上面に置かれて使用される時、マウス本体１の下部１２に設置された四つの接触点１２１が前述の界面５と接触し、この時、自動切り換え感応装置４の発光ダイオード４１の発射する光は前述の界面５に反射され、且つ自動切り換え感応装置４のホトトランジスタ４２が発光ダイオード４１が発射し並びに界面５に反射された光を受信し、こうして自動切り換え感応装置４がカーソル光学感応モジュール３の操作使用に切り換える。
【００１３】
図５は本考案の空中使用の表示図である。図６は図５の断面図である。空中使用時に、マウス本体１の下部１２は空中にあり、この時、自動切り換え感応装置４の発光ダイオード４１が発射した光線はどの界面によっても反射されず、この情況で、自動切り換え感応装置４のホトトランジスタ４２は発光ダイオード４１が発射した光を検出できず、これにより、自動切り換え感応装置４はトラックボールモジュール２の操作使用に切り換える。
【００１４】
以上から、自動切り換え感応装置４の自動感応により、マウス本体１が任意の界面５（例えば卓上面）に置かれる時、カーソル光学感応モジュール３で操作使用され、マウス本体１が空中にある時、トラックボールモジュール２で操作使用され、以上の構造により、マウス本体１は平面上或いは空中のいずれでも使用可能で、これにより操作の高い実用性を具え、マウス本体１の造形は人体手部が握持しやすい形状とされて人体工学の要求に符合する。
【００１５】
以上の実施例は本考案の実施範囲を限定するものではなく、以上の実施例及び図面の記載に基づきなしうる細部の修飾或いは改変は、いずれも本考案の請求範囲に属するものとする。
【図面の簡単な説明】
【００１６】
【図１】本考案の実施例の立体図である。
【図２】本考案の実施例の別角度からの立体図である。
【図３】本考案が卓上で使用される使用状態表示図である。
【図４】図３の断面図である。
【図５】本考案の空中使用の表示図である。
【図６】図５の断面図である。
【符号の説明】
【００１７】
１  マウス本体          １１  上部            １２  下部
１２１  接触点          ２  トラックボールモジュール
３  カーソル光学感応モジュール
４  自動切り換え感応装置
４１  発光ダイオード
４２  ホトトランジスタ
５  界面
【図１】
0003110429.tif 000003
【図２】
0003110429.tif 000004
【図３】
0003110429.tif 000005
【図４】
0003110429.tif 000006
【図５】
0003110429.tif 000007
【図６】
0003110429.tif 000008